(57)【要約】【課題】本発明は建築、構築物の外装を形成する外装材に関するものである。【解決手段】金属製表面材１と裏面材２間に芯材３を形成し、金属製表面材１の上下端部に雄雌連結構造を形成した横長で長尺状の外装材Ａにおいて、金属製表面材１の化粧面６に対して裏面側に凹状に窪んだ凹部１７と、化粧面６に対して表面側に凸状に突出した凸部１８と、台形状に窪んだ横目地１９と、凸部１８を適宜間隔で凹状に窪ませた縦目地２０と、横目地１９と縦目地２０により形成されたブロックＢと、凸部１８は上傾斜面２１と下傾斜面２２の２面により形成し、横目地１９はブロックＢの左端面に左三角傾斜面２３、ブロックＢの右端面に右三角傾斜面２４を形成し、同一ブロックＢの上傾斜面２１と下傾斜面２２のどちらか一方に凹凸柄２５を、他面に平面２６を形成した外装材Ａである。【選択図】図６
2019108743.tif 000002
【特許請求の範囲】
【請求項１】
金属製表面材と裏面材間に芯材を形成し、金属製表面材の上下端部に雄雌連結構造を形成した横長で長尺状の外装材において、金属製表面材の化粧面に対して裏面側に凹状に窪んだ凹部と、化粧面に対して表面側に凸状に突出した凸部と、台形状に窪んだ横目地と、凸部を適宜間隔で凹状に窪ませた縦目地と、横目地と縦目地により形成されたブロックと、凸部は上傾斜面と下傾斜面の２面により形成し、横目地はブロックの左端面に左三角傾斜面、ブロックの右端面に右三角傾斜面を形成し、同一ブロックの上傾斜面と下傾斜面のどちらか一方に凹凸柄を、他面に平面を形成したことを特徴とする外装材。
【発明の詳細な説明】
【技術分野】
【０００１】
本発明は建築、構築物の外装を形成する外装材に関するものである。
【背景技術】
【０００２】
一般に、金属製板材をロール成形、プレス成形等して加工し、化粧面に凹凸を形成した外装材は数多く上市されている。（例えば、特許文献１〜４参照）。
【先行技術文献】
【特許文献】
【０００３】
【特許文献１】特開平１１−２４０２９４号公報
【特許文献２】特開２０００−１２０２５１号公報
【特許文献３】特開２００２−２３５４２３号公報
【特許文献４】特開２００９−１６７７７５号公報
【発明の概要】
【発明が解決しようとする課題】
【０００４】
特許文献１は「エンボス金属板」に係り、金属板をエンボスロール間に通して縦横溝目地を深くエンボシングする場合も金属板の両端の平坦部の平坦度を保つことが出来るようにしたものである。特許文献２は「エンボス加工された装飾板」に係り、ブロックにお互い角度を持って交差する２種類の斜線を基本とする平衡溝模様が刻設することにより、光の反射の影響により見た方向によって色調等が異なる効果が発揮させるものである。また、特許文献３は「壁材」に係り、凸部領域の表面に少なくとも４方向の略平行凹凸縞模様を形設して、光源の位置の変化、見る方向の変化によって、色調、色の濃淡が多様に変化するものが記載されている。さらに、特許文献４は「エンボス加工金属製外壁材」に係り、斜平面の位置が互いに異なる区画面を、それぞれ交互に長手方向に隣接する装飾面を形成したものである。
【０００５】
しかしながら、特許文献１〜４共に、金属製板材の化粧面にエンボスを施して意匠性、加工性等を向上する思想は存在するものの、単調な外観が繰り返され、画一化された光りの反射を利用しただけのもので有った。また、特許文献４は区画面に形成された斜平面の位置が、長手方向に沿って上、下、上、下、・・・のように斜平面交互に繰り返された単調な模様でしかなかった。
【課題を解決するための手段】
【０００６】
本発明はこのような欠点を解決するために、金属製表面材と裏面材間に芯材を形成し、金属製表面材の上下端部に雄雌連結構造を形成した横長で長尺状の外装材において、金属製表面材の化粧面に対して裏面側に凹状に窪んだ凹部と、化粧面に対して表面側に凸状に突出した凸部と、台形状に窪んだ横目地と、凸部を適宜間隔で凹状に窪ませた縦目地と、横目地と縦目地により形成されたブロックと、凸部は上傾斜面と下傾斜面の２面により形成し、横目地はブロックの左端面に左三角傾斜面、ブロックの右端面に右三角傾斜面を形成し、同一ブロックの上傾斜面と下傾斜面のどちらか一方に凹凸柄を、他面に平面を形成した外装材を提供するものである。
【発明の効果】
【０００７】
本発明に係る外装材によれば、（１）二つの平面を山状に形成した上傾斜面と下傾斜面は、上傾斜面は反射面、下傾斜面は影となり、上下で大きな陰影を醸し出しメリハリのある外装面を形成出来る。（２）横目地の凹部を凹部上傾斜片、凹部下傾斜片、平面とから台形状に形成することにより凸部と平面間の境界を明確にした横目地となる。（３）左三角傾斜面と右三角傾斜面により傾斜して形成された縦目地は、左右の傾斜面が太陽光を左右に反射させることにより、乱反射と陰影によりメリハリのある外装面を形成出来る。（４）同一ブロックの上傾斜面と下傾斜面のどちらか一方に凹凸柄を、他面に平面を形成することにより、同一ブロックの上下にて凹凸柄による乱反射と平面の鏡面反射を形成することにより凹部と凸部の高低差が強調されメリハリのある外装面を形成出来る。（５）上傾斜面に凹凸柄と下傾斜面に平面を形成したブロックと、下傾斜面に凹凸柄と上傾斜面に平面を形成したブロックを交互に形成することにより、外装材を横張り状に施工した場合に、太陽光の照射が、夜明けから日没間の時間の経過により異なる陰影を醸し出すことが出来る。等の特徴、効果がある。
【図面の簡単な説明】
【０００８】
【図１】本発明に係る外装材の代表例を示す断面図である。
【図２】本発明に係る外装材の代表例を示す部分拡大断面図である。
【図３】本発明に係る外装材の施工状態を示す断面図である。
【図４】本発明に係る外装材の代表例を示す断面図である。
【図５】本発明に係る外装材の代表例を示す端面図である。
【図６】本発明に係る外装材の化粧面を示す正面図である。
【図７】本発明に係る外装材の化粧面を示す斜視図である。
【図８】本発明に係る外装材の化粧面の一部を拡大して示す端面図である。
【発明を実施するための形態】
【実施例】
【０００９】
以下に図面を用いて、本発明に係る外装材の一実施例について詳細に説明する。すなわち、外装材Ａは図１、図２（ａ）、（ｂ）、図３に示すように、金属製表面材１と裏面材２で例えば合成樹脂発泡体からなる芯材３をサンドイッチした外装材Ａである。また、図３は施工状態を示す断面図であり、αは躯体、βは固定具、γは連結部である。なお、図１〜図３においては、化粧面６部分の凹凸模様（エンボス模様）を省略して簡略化して示したものであり、詳細は図３〜図８に示すものである。
【００１０】
金属製表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をエンボスロール成形、あるいはプレス成形したものである。また、裏面材２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００１１】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、金属製表面材１、もしくは裏面材２の裏面側に吐出し、加熱して反応・発泡・硬化させて金属製表面材１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１２】
外装材Ａ同士は、係合片１０が嵌合溝１６へ、係合溝１１には嵌合片１４が連結されることにより、図３に示すように連結されるものである。
【００１３】
外装材Ａの全体形状の一例としては図１、図２（ａ）、（ｂ）に示すように、長尺で金属製の薄板からなる金属製表面材１と裏面材２間に芯材３をサンドイッチし、幅方向の一端に形成した雄型連結部４、他端に形成した雌型連結部５とから形成し、化粧面６の下端には下側壁７、上端には上側壁８を形成したものである。
【００１４】
さらに詳説すると、雄型連結部４は化粧面６下端を裏面側に屈曲した下側壁７と、下側壁７の先端を下方に垂下した横目地底面７ａと、横目地底面７ａの先端を裏面側に折り返し、先端を上方へ延設した上面７ｂと、上面７ｂと目地底面７ａからなる突出片９と、上面７ｂの先端を裏面側下方に垂下した係合片１０と、上面７ｂと係合片１０とからなる係合溝１１とから形成したものである。
【００１５】
雌型連結部５は化粧面６の上端を裏面側に屈曲した上側壁８と、上側壁８の先端を上方に屈曲した目地底面８ａと、上側壁８と目地底面８ａ間に上方向に突出した段差１２と、目地底面８ａ先端を裏面側下方に屈曲した下面１３と、目地底面８ａと下面１３とからなる嵌合片１４と、下面１３の先端を上方に屈曲して突出した固定面１５と、下面１３と固定面１５とから形成した嵌合溝１６とから形成したものである。なお、Ｐは防水性強化のために形成したパッキンである。
【００１６】
化粧面６は、化粧面６を詳細に示した図４〜図８に示すように、化粧面６に対して裏面側に凹状に窪んだ凹部１７と、化粧面６に対して表面側に凸状に突出した凸部１８と、図８に示すように台形状に窪んだ横目地１９と、凸部１８を適宜間隔で凹状に窪ませた縦目地２０と、横目地１９と縦目地２０により形成されたブロックＢと、凸部１８は上傾斜面２１と下傾斜面２２の２面により形成し、横目地１９はブロックＢの左端面に左三角傾斜面２３、ブロックＢの右端面に右三角傾斜面２４を形成し、同一ブロックＢの上傾斜面２１と下傾斜面２２のどちらか一方に凹凸柄２５を、他面に平面２６を形成したものである。なお、図における凹凸柄２５は岩肌調である。
【００１７】
横目地１９は図８に示すように、凹部９を凹部上傾斜片１７ａ、凹部下傾斜片１７ｂ、平面１７ｃとから台形状に形成し、凸部１８と平面１７ｃ間の境界を明確にし、すっきりとした横目地１９とするものである。
【００１８】
上傾斜面２１と下傾斜面２２は、二つの平面を山状に形成したものであり、上傾斜面２１は反射面、下傾斜面２２は影となり、上下で大きな陰影を醸し出しメリハリのある外装面を形成するものである。
【００１９】
縦目地２０として形成された左三角傾斜面２３と右三角傾斜面２４は、傾斜して形成されることにより、縦目地２０に左右の傾斜面が太陽光を左右に反射させることにより、乱反射と陰影によりメリハリのある外装面を形成するものである。
【００２０】
凹凸柄２５と平面２６は、同一ブロックＢの上傾斜面２１と下傾斜面２２のどちらか一方に凹凸柄２５を、他面に平面２６を形成することにより、同一ブロックＢの上下にて凹凸柄２５による乱反射と平面２６の鏡面反射を形成することにより凹部１７と凸部１８の高低差が強調されさらにメリハリのある外装面を形成するものである。
【００２１】
また、凹凸柄２５と平面２６は、同一ブロックＢの上傾斜面２１と下傾斜面２２のどちらか一方に凹凸柄２５を、他面に平面２６を形成すると共に、左右に隣り合うブロックＢにおいて、上傾斜面２１に凹凸柄２５と下傾斜面２２に平面２６を形成したブロックＢと、下傾斜面２２に凹凸柄２５と上傾斜面２１に平面２６を形成したブロックＢを交互に形成するものである。
【００２２】
このように形成することにより、図６、図７に示すように横張り状に施工した場合には、太陽光の照射が、夜明けから日没間の時間の経過により異なる陰影を醸し出すものである。
【００２３】
なお、平面２６は文言上平面という表現で示すが、凹凸に対して平面と言う表現としたものであり、図面に示すようにエンボス成型時の曲面が形成されたものである。図ではうねり曲面、あるいはフラット面よりなる平面２６が形成されている。
【符号の説明】
【００２４】
α  躯体
β  固定具
γ  連結目地
Ａ  外装材
Ｂ  ブロック
Ｐ  パッキン
１  金属製表面材
２  裏面材
３  芯材
４  雄型連結部
５  雌型連結部
６  化粧面
７  下側壁
７ａ  横目地底面
７ｂ  上面
８  上側壁
８ａ  目地底面
８ｂ  上面
９  突出片
１０  係合片
１１  係合溝
１２  段差
１３  下面
１４  嵌合片
１５  固定面
１６  嵌合溝
１７  凹部
１７ａ  凹部上傾斜片
１７ｂ  凹部下傾斜片
１７ｃ  平面
１８  凸部
１９  横目地
２０  縦目地
２１  上傾斜面
２２  下傾斜面
２３  左三角傾斜面
２４  右三角傾斜面
２５  凹凸柄
２６  平面
【図１】
2019108743.tif 000003
【図２】
2019108743.tif 000004
【図３】
2019108743.tif 000005
【図４】
2019108743.tif 000006
【図５】
2019108743.tif 000007
【図６】
2019108743.tif 000008
【図７】
2019108743.tif 000009
【図８】
2019108743.tif 000010